(57)【要約】【課題】本発明は、受信装置及び中継ケーブルに関し、例えばディジタルラジオ放送等を受信可能な携帯電話に適用して、イヤホン接続端を大型化することなく、簡易な構成でイヤホンの接続を検出可能とする。【解決手段】本発明は、イヤホン３のプラグ６の接続により、ジャック７に設けた端子７Ｃ、７Ｄ間が短絡するようにし、この端子７Ｃ、７Ｄ間の短絡を本体装置４で検出可能に芯線ケーブルＬＧ、ＬＬ、ＬＲ、ＬＳを接続する。【選択図】        図１
2008311825.tif 000002
【特許請求の範囲】
【請求項１】
中継ケーブルを介して本体装置にイヤホンを接続する受信装置において、
前記中継ケーブルは、
前記本体装置に一端を接続した多芯のシールドケーブルと、
前記多芯のシールドケーブルの他端に接続されて、前記イヤホンのプラグの接続により前記プラグの端子で短絡するイヤホン検出用端子と、前記イヤホンに出力するオーディオ信号の伝送に供する信号伝送用端子とを有するジャックとを有し、
前記多芯のシールドケーブルの芯線ケーブルが前記イヤホン検出用端子、前記信号伝送用端子に接続され、
前記芯線ケーブルの被覆線が、前記ジャック側で開放端とされ、
前記本体装置は、
前記多芯のシールドケーブルの芯線ケーブルの全部又は一部をアンテナ入力端に入力すると共に、前記被覆線を前記アンテナ入力端のアースに接続することにより、前記イヤホンのケーブルに誘起された高周波信号を前記多芯のシールドケーブルにより伝送して前記チューナのアンテナ入力端に入力するチューナと、
前記イヤホン検出用端子に接続された芯線ケーブルを介して前記イヤホン検出用端子の短絡を検出することにより、前記ジャックへの前記イヤホンの接続を検出する検出手段とを備え、
前記検出手段による前記イヤホンの接続の検出により、前記芯線ケーブルへのオーディオ信号出力を切り換える
ことを特徴とする受信装置。
【請求項２】
前記イヤホンのプラグが、３極以上の極数を有するプラグであり、
前記中継ケーブルのジャックが、４極以上の極数を有するジャックである
ことを特徴とする請求項１に記載の受信装置。
【請求項３】
前記中継ケーブルは、
前記本体装置側にプラグが設けられ、
前記本体装置は、前記プラグを接続するジャックが設けられた
ことを特徴とする請求項１に記載の受信装置。
【請求項４】
前記信号伝送用端子が、右チャンネルのオーディオ信号、左チャンネルのオーディオ信号、前記右チャンネル及び左チャンネルのオーディオ信号のアースラインがそれぞれ割り当てられた端子であり、
前記イヤホン検出用端子が、前記アースラインが割り当てられた前記信号伝送用端子との間で、前記プラグの挿入により短絡状態となる端子であり、
前記信号伝送用端子、前記イヤホン検出用端子に接続された前記芯線ケーブルをコンデンサにより接続して前記アンテナ入力端に入力し、
高周波遮断回路を介して、前記アースラインが割り当てられた前記信号伝送用端子に接続された芯線ケーブルを前記本体装置における前記オーディオ信号のアースラインに接続する
ことを特徴とする請求項１に記載の受信装置。
【請求項５】
高周波遮断回路を介して、前記アースラインが割り当てられた前記信号伝送用端子に接続された芯線ケーブルを前記被覆線に接続した
ことを特徴とする請求項４に記載の受信装置。
【請求項６】
一端にイヤホンを接続し、他端を本体装置に接続する中継ケーブルにおいて、
前記本体装置に接続されるプラグと、
前記プラグに一端を接続する多芯のシールドケーブルと、
前記多芯のシールドケーブルの他端に接続されて、前記イヤホンを接続するジャックとを有し、
前記ジャックは、
前記イヤホンのプラグの接続により前記プラグの端子で短絡するイヤホン検出用端子と、オーディオ信号の伝送に供する信号伝送用端子とを有し、
前記中継ケーブルは、
前記ジャック側において、前記イヤホン検出用端子、前記信号伝送用端子に芯線ケーブルが接続され、被覆線が開放端とされ、
前記プラグ側において、前記芯線ケーブルの全部又は一部が前記プラグを介して前記本体装置のアンテナ入力端に接続され、前記イヤホンのケーブルに誘起された高周波信号を伝送して前記アンテナ入力端に入力し、前記イヤホン検出用端子に接続された芯線ケーブルが、短絡の検出により前記ジャックへの前記イヤホンの接続を検出する検出手段に接続され、前記信号伝送用端子に接続された芯線ケーブルが前記検出手段の検出結果により切り換えられるオーディオ信号の伝送に割り当てられた
ことを特徴とする中継ケーブル。
【発明の詳細な説明】
【技術分野】
【０００１】
本発明は、受信装置及び中継ケーブルに関し、例えばディジタルラジオ放送等を受信可能な携帯電話に適用することができる。本発明は、イヤホンのプラグの接続により、ジャックに設けた端子間が短絡するようにし、この端子間の短絡を本体装置で検出可能に芯線ケーブルを接続することにより、イヤホン接続端の大型化を有効に回避して、イヤホンの検出機能を有するイヤホンの中継ケーブル、このイヤホンの接続により音声出力が切り替わる受信装置を提案する。
【背景技術】
【０００２】
従来、携帯型の受信装置では、アンテナに関して種々の工夫が図られている。すなわちこの種のアンテナには、装置のデザインを損なわないようにする、人体への影響を防止する、機器から放射されるノイズによる影響を受け難くする等が望まれる。
【０００３】
これらのうちのデザインに関して、受信装置は、従来、アンテナを内蔵型にしてデザインを損なわないようにする工夫が施されているものの、受信周波数が低い場合には、アンテナが大型化し、内蔵することが困難になる。そこで従来、受信周波数が低い場合、受信装置は、主にロッドアンテナを使用している。しかしながらロッドアンテナを使用する場合、構成が複雑化し、ロッドアンテナが飛び出してデザインを損なう等の欠点がある。
【０００４】
このため従来、イヤホンのケーブルをアンテナとして使用させる工夫が提案されており、特開２００５−６４７４２号公報には、同軸ケーブル構成の中継ケーブルを介して受信装置にイヤホンを接続することにより、人体による影響、機器から放射されるノイズによる影響を低減する方法が提案されている。
【０００５】
ところで特開２００５−６４７４２号公報に開示の構成において、ジャックを介して中継ケーブルにイヤホンを接続するようにし、このジャックに汎用のオーディオジャックを適用すれば、ユーザーの好みに応じて種々のイヤホンを接続することができ、使い勝手を向上することができる。
【０００６】
しかしながらこのようにすると、イヤホンを接続しないで中継ケーブルを受信装置に接続する場合も予測される。従って中継ケーブルへのイヤホンの接続を検出する検知機構を設けることが必要になる。この場合、例えばオーディオ装置に適用されるプラグの挿入によりオン動作するスイッチ構成のジャックを使用して検知機構を構成することも考えられるが、この方法では、中継ケーブルのイヤホン接続端に基板を設けることが必要になり、中継ケーブルの構成が複雑になり、またイヤホン接続端が大型化する問題がある。
【特許文献１】特開２００５−６４７４２号公報
【発明の開示】
【発明が解決しようとする課題】
【０００７】
本発明は以上の点を考慮してなされたもので、イヤホン接続端を大型化することなく、簡易な構成でイヤホンの接続を検出可能な中継ケーブル、この中継ケーブルを使用した受信装置を提案しようとするものである。
【課題を解決するための手段】
【０００８】
上記の課題を解決するため請求項１の発明は、中継ケーブルを介して本体装置にイヤホンを接続する受信装置に適用して、前記中継ケーブルは、前記本体装置に一端を接続した多芯のシールドケーブルと、前記多芯のシールドケーブルの他端に接続されて、前記イヤホンのプラグの接続により前記プラグの端子で短絡するイヤホン検出用端子と、前記イヤホンに出力するオーディオ信号の伝送に供する信号伝送用端子とを有するジャックとを有し、前記多芯のシールドケーブルの芯線ケーブルが前記イヤホン検出用端子、前記信号伝送用端子に接続され、前記芯線ケーブルの被覆線が、前記ジャック側で開放端とされ、前記本体装置は、前記多芯のシールドケーブルの芯線ケーブルの全部又は一部をアンテナ入力端に入力すると共に、前記被覆線を前記アンテナ入力端のアースに接続することにより、前記イヤホンのケーブルに誘起された高周波信号を前記多芯のシールドケーブルにより伝送して前記チューナのアンテナ入力端に入力するチューナと、前記イヤホン検出用端子に接続された芯線ケーブルを介して前記イヤホン検出用端子の短絡を検出することにより、前記ジャックへの前記イヤホンの接続を検出する検出手段とを備え、前記検出手段による前記イヤホンの接続の検出により、前記芯線ケーブルへのオーディオ信号出力を切り換える。
【０００９】
また請求項６の発明は、一端にイヤホンを接続し、他端を本体装置に接続する中継ケーブルに適用して、前記本体装置に接続されるプラグと、前記プラグに一端を接続する多芯のシールドケーブルと、前記多芯のシールドケーブルの他端に接続されて、前記イヤホンを接続するジャックとを有し、前記ジャックは、前記イヤホンのプラグの接続により前記プラグの端子で短絡するイヤホン検出用端子と、オーディオ信号の伝送に供する信号伝送用端子とを有し、前記中継ケーブルは、前記ジャック側において、前記イヤホン検出用端子、前記信号伝送用端子に芯線ケーブルが接続され、被覆線が開放端とされ、前記プラグ側において、前記芯線ケーブルの全部又は一部が前記プラグを介して前記本体装置のアンテナ入力端に接続され、前記イヤホンのケーブルに誘起された高周波信号を伝送して前記アンテナ入力端に入力し、前記イヤホン検出用端子に接続された芯線ケーブルが、短絡の検出により前記ジャックへの前記イヤホンの接続を検出する検出手段に接続され、前記信号伝送用端子に接続された芯線ケーブルが前記検出手段の検出結果により切り換えられるオーディオ信号の伝送に割り当てられる。
【００１０】
請求項１、又は請求項６の構成によれば、イヤホン検出用端子に接続された芯線ケーブルを介してイヤホンの接続を本体装置で検出することができる。またイヤホンのケーブルに誘起された高周波信号にあっては、中継ケーブルが給電線として機能して本体装置に伝送されてアンテナ入力端に入力され、これによりイヤホンのケーブルをアンテナとして使用して所望の放送波を受信し、さらにこのとき本体装置からの不要輻射の影響を低減することができる。
【発明の効果】
【００１１】
本発明によれば、イヤホン接続端の大型化を有効に回避して、イヤホンの検出機能を有するイヤホンの中継ケーブル、このイヤホンの接続により音声出力が切り替わる受信装置を得ることができる。
【発明を実施するための最良の形態】
【００１２】
以下、適宜図面を参照しながら本発明の実施例を詳述する。
【実施例１】
【００１３】
（１）実施例の構成
図２は、本発明の実施例１の受信装置である携帯電話の斜視図である。この携帯電話１は、ディジタルラジオ放送の受信機能を有する携帯電話であり、中継ケーブル２を介してイヤホン３が本体装置４に接続され、イヤホン３のケーブルをアンテナとして使用してラジオ放送を受信する。
【００１４】
このため中継ケーブル２は、両端に、プラグ５及びジャック７が設けられ、ジャック７にイヤホン３のプラグ６が接続される。またプラグ５が本体装置４に接続される。
【００１５】
ここで図１に示すように、イヤホン３は、このプラグ６にいわゆる３極のピンプラグが適用され、プラグの先端側の２つの端子６Ａ、６Ｂが右チャンネル及び左チャンネルのオーディオ信号ＳＡＬ及びＳＡＲに割り当てられ、プラグ６の最も根元側の端子６Ｃがアースラインに割り当てられる。イヤホン３は、これら３つの端子６Ａ〜６Ｃがケーブル１１によりスピーカ１２Ｌ、１２Ｒに接続される。なおプラグ６には、３極以上のピンプラグを広く適用することができる。
【００１６】
本体装置４において、増幅回路２０Ｌ、２０Ｒは、左チャンネル及び右チャンネルのオーディオ信号ＳＡＬ及びＳＡＲをそれぞれ増幅して出力する。切替回路２１は、この増幅回路２０Ｌ、２０Ｒから出力されるオーディオ信号ＳＡＬ、ＳＡＲを内蔵のスピーカ２２に出力し、これによりこの携帯電話１は、この内蔵のスピーカ２２を使用してラジオ放送の音声を再生する。また切替回路２１は、コントローラ２３の制御により動作を切り替え、増幅回路２０Ｌ、２０Ｒから出力されるオーディオ信号ＳＡＬ、ＳＡＲをジャック８に出力する。ここでジャック８は、中継ケーブル２のプラグ５が接続される。
【００１７】
高周波遮断回路２４Ｌ、２４Ｒは、切替回路２１とジャック８との間にそれぞれ設けられ、ジャック８から本体装置４への高周波信号の侵入を防止する。なおこの実施例において、高周波遮断回路２４Ｌ、２４Ｒは、切替回路２１の出力ラインにフェライトビーズを配置したインダクタにより構成されるものの、種々のローパスフィルタを広く適用することができる。
【００１８】
コントローラ２３は、切替回路２１の動作を制御する制御手段であり、ジャック８に設けられたイヤホン検出端子（数字３）の電位を検出することにより、このイヤホン検出端子の接地を検出し、中継ケーブル２へのイヤホン３の接続を検出する。また中継ケーブル２へのイヤホン３の接続が検出されると、切替回路２１の動作を切り換え、スピーカ２２に代えてイヤホン３から音声を出力する。
【００１９】
チューナ２５は、スイッチ回路（ＳＷ）２６から入力される高周波信号をアンテナ入力端に入力し、ディジタルラジオ放送を受信してオーディオ信号ＳＡＬ、ＳＡＲを出力する。スイッチ回路２６は、このチューナ２５のアンテナ入力端に内蔵の通話用アンテナ２７を接続する。またスイッチ回路２６は、ジャック８に設けられたアンテナ入力端（数字１により表す）から入力される高周波信号をコンデンサＣＣを介して入力し、コントローラ２８の制御により動作を切り替え、内蔵の通話用アンテナ２７から入力される高周波信号に代えて、このコンデンサＣＣを介して入力される高周波信号をチューナ２５に出力する。ここでこのジャック８に設けられたアンテナ入力端は、上述の高周波遮断回路２４Ｌ、２４Ｒと同様の高周波遮断回路２９により直流的に接地される。
【００２０】
コントローラ２８は、スイッチ回路２６の動作を制御する制御手段であり、上述の高周波遮断回路２４Ｌ、２４Ｒと同様の高周波遮断回路３０を介して、ジャック８に設けられた中継ケーブル検出端子（数字８）の電位を検出することにより、この中継ケーブル検出端子の接地を検出し、ジャック８への中継ケーブル２の接続を検出する。また中継ケーブル２の接続が検出されると、内蔵の通話用アンテナ２７に代えて中継ケーブル２を介して得られる高周波信号によりラジオ放送を受信するようにスイッチ回路２６の動作を切り換える。
【００２１】
中継ケーブル２は、多芯シールドケーブル３１の一端がジャック７に接続され、他端がプラグ５の背面に設けられた配線基板３２を介してプラグ５に接続される。ここでジャック７は、いわゆる４極のジャックであり、プラグ５の挿入により、最も先端側の２つの端子７Ｃ及び７Ｄが、３極のプラグ６の最も根元側端子６Ｃに接続され、根元側２つの端子７Ａ及び７Ｂがプラグ６の先端側２つの端子６Ａ及び６Ｂにそれぞれ接続される。これによりジャック７は、根元側２つの端子７Ａ及び７Ｂがオーディオ信号ＳＡＬ及びＳＡＲの伝送に割り当てられ、最も先端側の２つの端子７Ｃ及び７Ｄの一方がこれらオーディオ信号ＳＡＬ及びＳＡＲのアースラインに割り当てられる。また最も先端側の２つの端子７Ｃ及び７Ｄがプラグ６の挿入により短絡し、イヤホン３の接続検出用に割り当てられる。なおジャック７は、プラグ６に比して極数を多くすれば良く、必要に応じて種々の極数に設定することができる。
【００２２】
多芯シールドケーブル３１は、図３に断面を取って示すように、４本の芯線ケーブルＬＬ、ＬＲ、ＬＧ、ＬＤが設けられ、これら４本の芯線ケーブルＬＬ、ＬＲ、ＬＧ、ＬＤを被覆線ＳＳにより同軸形状に被覆してシールドする。
【００２３】
中継ケーブル２は、プラグ５の背面に設けられた配線基板３２上で、これら４本の芯線ケーブルＬＬ、ＬＲ、ＬＧ、ＬＤがコンデンサＣ１〜Ｃ３により接続され、少なくともこの携帯電話１におけるラジオ放送の受信周波数においては、これら４本の芯線ケーブルＬＬ、ＬＲ、ＬＧ、ＬＤが被覆線ＳＳに対して同軸ケーブルの芯線として機能するように設定される。
【００２４】
中継ケーブル２は、これら４本の芯線ケーブルＬＬ、ＬＲ、ＬＧ、ＬＤの１本（ＬＧ）がチューナ２５のアンテナ入力端に接続される。また被覆線ＳＳがこのアンテナ入力端のアースラインに割り当てられ、本体装置４において、チューナ２５のアースラインに接続される。これにより中継ケーブル２は、図４（Ａ）及び（Ｂ）により示すように、イヤホン３のケーブル１１をモノポールアンテナとして使用して、このモノポールアンテナの給電線を構成する。
【００２５】
さらに中継ケーブル２は、これら４本の芯線ケーブルＬＬ、ＬＲ、ＬＧ、ＬＤのうちの３本の芯線ケーブルＬＬ、ＬＲ、ＬＧがオーディオ信号の伝送に割り当てられる。すなわちこれら３本の芯線ケーブルＬＬ、ＬＲ、ＬＧのうちの芯線ケーブルＬＬ、ＬＲがそれぞれ切替回路２１から出力されるオーディオ信号ＳＡＬ、ＳＡＲの伝送に割り当てられ、残りの芯線ケーブルＬＧがこれらオーディオ信号ＳＡＬ、ＳＡＲのアースラインに割り当てられる。
【００２６】
これにより芯線ケーブルＬＬ、ＬＲは、一端が配線基板３２、プラグ５、ジャック８を介して高周波遮断回路２４Ｌ、２４Ｒにそれぞれ接続され、また他端がそれぞれジャック７の端子７Ｂ、７Ａに接続される。また芯線ケーブルＬＧは、本体装置４の入力端において、高周波遮断回路２９により接地される。これにより中継ケーブル２は、本体装置４から出力されるオーディオ信号ＳＡＬ、ＳＡＲによりイヤホン３のスピーカ１２Ｌ、１２Ｒを駆動する。
【００２７】
また中継ケーブル２は、このアースライン用の芯線ケーブルＬＧの本体装置４側端が、高周波遮断回路３４を介して、中継ケーブル検出端子（数字８）に接続され、これにより中継ケーブル２のプラグ８への接続により、中継ケーブル検出端子をアースラインに接続する。また中継ケーブル２は、高周波遮断回路３２を介して、残る芯線ケーブルＬＤがプラグ８のイヤホン検出端子（数字３）に接続され、イヤホン３の接続により、このイヤホン検出端子をアースラインに接続する。なおこれら高周波遮断回路３３、３４は、本体装置４への高周波信号の進入防止するために設けられ、高周波遮断回路２４Ｒ、２４Ｌと同一に構成される。
【００２８】
中継ケーブル２は、多芯シールドケーブル３１にジャック７、プラグ５を接続した後、それぞれ多芯シールドケーブル３１側を樹脂でモールドして作成される。
【００２９】
（２）実施例の動作
以上の構成において、この携帯電話１では（図１）、何ら中継ケーブル２を接続していない状態で、チューナ２５により受信されたオーディオ信号ＳＡＬ、ＳＡＲが増幅回路２０Ｌ、２０Ｒにより増幅される。またこの場合、中継ケーブル２が接続されていないことにより、ジャック８の中継ケーブル検出端子（数字８）が接地されていない状態に保持され、コントローラ２８によりこの状態が検出され、内蔵の通話用アンテナ２７をチューナ２５のアンテナ入力端に接続するようにスイッチ回路２６の動作が制御され、これによりこの内蔵の通話用アンテナ２７によりラジオ放送を受信してオーディオ信号ＳＡＬ、ＳＡＲを出力する。
【００３０】
またこの場合、中継ケーブル２が接続されていないことにより、プラグ８のイヤホン検出端子（数字３）にあっても、接地されていない状態に保持される。これによりコントローラ２３によりこの状態が検出され、内蔵のスピーカ２２にオーディオ信号ＳＡＬ、ＳＡＲを出力するように、コントローラ２３により切替回路２１が設定される。これにより携帯電話１では、増幅回路２０Ｌ、２０Ｒから出力されるオーディオ信号ＳＡＬ、ＳＡＲにより内蔵のスピーカ２２が駆動され、内蔵のスピーカ２２を使用して種々のラジオ放送を楽しむことができる。
【００３１】
これに対してイヤホン３を接続しない状態で、中継ケーブル２だけが本体装置４に接続されると、中継ケーブル２に設けられた高周波遮断回路３４により、プラグ８の中継ケーブル検出端子（数字８）がアンテナ入力端（数字１）に接続され、このアンテナ入力端にあっては、直流的に接地されていることにより、コントローラ２８でこの中継ケーブル検出端子の接地が検出される。これにより携帯電話１では、コントローラ２８によりスイッチ回路２６の動作が切り換えられ、通話用アンテナ２７に代えて、中継ケーブル２から入力される高周波信号によりラジオ放送を受信するように設定が切り換えられる。
【００３２】
このチューナ２５に対して、中継ケーブル２は、アンテナ入力端に接続される芯線ケーブルＬＧが他の芯線ケーブルＬＲ、ＬＬ、ＬＤと共にコントデンサＣ１〜Ｃ３により接続されて、被覆線ＳＳによりシールドされ、この被覆線ＳＳが接地されていることから、本来は高周波信号の伝送路として機能することになる。しかしながら中継ケーブル２では、被覆線ＳＳに誘起された高周波信号が被覆線ＳＳと芯線ケーブルＬＧ、ＬＲ、ＬＬ、ＬＤとの結合によりこれら芯線ケーブルＬＧ、ＬＲ、ＬＬ、ＬＤに誘起され、この結合により誘起された高周波信号がアンテナ入力端よりチューナ２５に入力され、若干ながらも、アンテナとして機能することになる。このアンテナとしての機能は、中継ケーブル２と同一長さによるモノポールアンテナに比して低いものの、内蔵の通話用アンテナ２７に比して十分な利得を有している。これによりこの実施例では、中継ケーブル２の接続により、ラジオ放送の受信環境を向上することができるようになされている。
【００３３】
またこの状態では、イヤホン検出端子（数字３）にあっては、未だ接地されていないことにより、この場合も内蔵のスピーカ２２にオーディオ信号ＳＡＬ、ＳＡＲを出力するように、コントローラ２３により切替回路２１が設定され、内蔵のスピーカ２２を使用して種々のラジオ放送を楽しむことができる。
【００３４】
これに対してこの状態で中継ケーブル２のジャック７にイヤホン３のプラグ６を挿入して中継ケーブル２にイヤホン３を接続すると、ジャック７の先端側２つの端子７Ｃ及び７Ｄがプラグ６の根元側端子６Ｃにより短絡し、これによりジャック８のイヤホン検出端子（数字３）がアースライン用の芯線ケーブルＬＧを介して接地される。これにより携帯電話１では、この接地状態がコントローラ２３で検出され、このコントローラ２３の制御により切替回路２１からオーディオ信号ＳＡＬ及びＳＡＲが中継ケーブル２に出力される。このオーディオ信号ＳＡＬ及びＳＡＲは、中継ケーブル２の芯線ケーブルＬＬ、ＬＲ、ＬＧにより伝送されてイヤホン３に出力され、これにより内蔵のスピーカ２２に代えてイヤホン３によりラジオ放送を視聴することが可能となる。
【００３５】
またこの場合、被覆線ＳＳによりシールドされた芯線ケーブルＬＬ、ＬＲ、ＬＧ、ＬＤを介して、イヤホン３のケーブル１１に誘起された高周波信号がチューナ２５のアンテナ入力端に入力され、これによりイヤホン３のケーブル１１をアンテナとして使用して、チューナ２５により安定に所望するラジオ放送を受信することができる。またこの場合、イヤホン３のケーブル１１によるモノポールアンテナの給電線として中継ケーブル２が機能するように、イヤホン３のケーブル１１に誘起された高周波信号が中継ケーブル２の芯線ケーブルＬＬ、ＬＲ、ＬＧ、ＬＤに供給されると共に、この芯線ケーブルＬＬ、ＬＲ、ＬＧ、ＬＤを被覆線ＳＳにより被覆していることにより、本体装置４から送出される不要輻射についてはチューナ２５で影響を受けないようにすることができ、これにより一段と安定にラジオ放送を受信することができる。
【００３６】
このようにしてイヤホン３のケーブル１１をアンテナとして使用してラジオ放送を受信するにつき、この実施例では、イヤホン３のプラグ６及び中継ケーブル２のジャック７にそれぞれ３極のプラグ及び４極のジャックを適用し、プラグ６の挿入によりジャック７に設けられた２つの端子が短絡してイヤホン３の接続を検出可能としたことにより、ジャック７側端にあっては、基板を設けることなく、ジャック７と多芯シールドケーブル３１を接続することができ、これによりイヤホン接続端の大型化を有効に回避してイヤホンの接続を検出することができる。
【００３７】
（３）実施例の効果
以上の構成によれば、イヤホンのプラグの接続により、ジャックに設けた端子間が短絡するようにし、この端子間の短絡を本体装置で検出可能に芯線ケーブルを接続することにより、イヤホン接続端を大型化することなく、簡易な構成でイヤホンの接続を検出することができる。
【００３８】
またこのイヤホンのプラグが、３極のプラグであり、中継ケーブルのジャックが、４極のジャックであることにより、ステレオ方式によるイヤホンに適用して、簡易な構成によりイヤホンの接続を検出することができる。
【００３９】
またこの中継ケーブルをプラグ及びジャックを介して本体装置に接続することにより、中継ケーブルを必要に応じて本体装置から取り外してユーザーの利便を図ることができる。
【００４０】
またイヤホンのプラグ接続により、オーディオ信号のアースラインとの間で端子が短絡するようにして、芯線ケーブルをコンデンサにより接続してアンテナ入力端に入力し、被覆線をこのアンテナ入力のアースに接続することにより、イヤホン検出用の芯線ケーブルの１つをアースラインに兼用して構成を簡略化し、芯線ケーブル及び被覆線によりイヤホンのケーブルによるアンテナの給電線を構成することができる。
【実施例２】
【００４１】
図５は、図１との対比により本発明の実施例２の携帯電話の構成を示すブロック図である。この携帯電話４１は、中継ケーブル２に代えて中継ケーブル４２が接続される。またこの中継ケーブル４２は、アースラインの芯線ケーブルＬＧと他の芯線ケーブルとを接続するコンデンサＣ１が省略されている点を除いて、実施例１の中継ケーブル２と同一に構成される。
【００４２】
この実施例のようにアースラインの芯線ケーブルＬＧと他の芯線ケーブルとを接続するコンデンサＣ１を省略するようにしても、実施例１と同様の効果を得ることができる。
【実施例３】
【００４３】
図６は、図１との対比により本発明の実施例３の携帯電話の構成を示すブロック図である。この携帯電話５１は、中継ケーブル２に代えて中継ケーブル５２が接続される。またこの中継ケーブル５２は、中継ケーブル検出端子を被覆線ＳＳ側で接地する点を除いて、実施例１の中継ケーブル２と同一に構成される。
【００４４】
この実施例のように中継ケーブル検出端子を被覆線側で接地するようにしても、実施例１と同様の効果を得ることができる。
【実施例４】
【００４５】
図７は、図１との対比により本発明の実施例４の携帯電話の構成を示すブロック図である。この携帯電話６１は、中継ケーブル２に代えて中継ケーブル６２が接続される。またこの中継ケーブル６２は、高周波遮断回路３３の本体装置４側端が、プラグ５の他の端子にも接続され、これにより必要に応じて複数の端子間でイヤホン３の接続を検出できるように構成される。
【００４６】
この実施例のように高周波遮断回路の本体装置側端をジャックの他の端子に接続し、必要に応じて複数の端子間でイヤホンの接続を検出できるようにすれば、一段と確実にイヤホンの接続を検出することができ、信頼性を向上することができる。
【実施例５】
【００４７】
なお上述の各実施例では、プラグ６のアース端子６Ｃにより、ジャック７の端子７Ｃ、７Ｄを短絡させてイヤホンの接続を検出する場合について述べたが、本発明はこれに限らず、プラグ６の他の端子により、ジャック７の他の端子を短絡させてイヤホンの接続を検出してもよい。
【００４８】
また上述の各実施例では、イヤホン検出用の芯線ケーブルの１つをアースライン用の芯線ケーブルと兼用する場合について述べたが、本発明はこれに限らず、イヤホン検出用の芯線ケーブルＬＤに加えて、専用の他の芯線ケーブルを設けるようにしてもよい。
【００４９】
また上述の実施例では、芯線ケーブルをコンデンサにより接続してチューナのアンテナ入力端に接続することにより、結局、４本の芯線ケーブルの全部又は３本をチューナのアンテナ入力端に接続する場合について述べたが、本発明はこれに限らず、芯線ケーブルの何れか１つだけをチューナのアンテナ入力端に接続するようにしてもよい。
【００５０】
また上述の各実施例では、プラグ及びジャックを介して本体装置に中継ケーブルを接続する場合について述べたが、本発明はこれに限らず、いわゆる作り付けにより中継ケーブルを本体装置に接続する場合にも広く適用することができる。
【００５１】
また上述の各実施例では、単にイヤホン用のオーディオ信号を中継ケーブルで伝送する場合について述べたが、本発明はこれに限らず、例えば本体装置を遠隔制御するリモコンを有する中継ケーブル、マイクを有するいわゆるヘッドセットのイヤホンを接続する中継ケーブル等に広く適用することができる。
【００５２】
また上述の各実施例では、本発明をラジオ放送の受信機能を有する携帯電話に適用する場合について述べたが、本発明はラジオ放送、テレビジョン放送等の各種携帯型の受信装置に広く適用することができる。
【産業上の利用可能性】
【００５３】
本発明は、例えばディジタルラジオ放送等を受信可能な携帯電話に適用することができる。
【図面の簡単な説明】
【００５４】
【図１】本発明の実施例１の携帯電話を示すブロック図である。
【図２】図１の携帯電話の斜視図である。
【図３】図１の携帯電話の中継ケーブルにおける多芯シールドケーブルの断面図である。
【図４】図１の携帯電話における中継ケーブルの説明に供する略線図である。
【図５】本発明の実施例２の携帯電話を示すブロック図である。
【図６】本発明の実施例３の携帯電話を示すブロック図である。
【図７】本発明の実施例４の携帯電話を示すブロック図である。
【符号の説明】
【００５５】
１、４１、５１、６１……携帯電話、２、４２、５２、６１……中継ケーブル、３……イヤホン、４……本体装置、５、６……ジャック、７、８……プラグ、１１……ケーブル、２０Ｌ、２０Ｒ……増幅回路、２１……切替回路、２４Ｌ、２４Ｒ、３３、３４……高周波遮断回路、２５……チューナ、３１……多芯シールドケーブル、Ｃ１〜Ｃ３……コンデンサ
【図１】
2008311825.tif 000003
【図２】
2008311825.tif 000004
【図３】
2008311825.tif 000005
【図４】
2008311825.tif 000006
【図５】
2008311825.tif 000007
【図６】
2008311825.tif 000008
【図７】
2008311825.tif 000009